(57)【特許請求の範囲】
【請求項１】
挟着機本体に設けられたドライバ用通路に、ドライバプレートを保持するドライバ保持部と、マガジン部から供給されたワイヤ型クリップを受け入れる受け入れ部と上記クリップを拡開する拡開部とを順次に配置し、上記ドライバ保持部からドライバ通路に沿って移動させたドライバプレートによって受け入れ部のクリップを押し出して拡開部を通過させる際に拡開させた後、被挟着材に挟着させる挟着機において、
上記受け入れ部の近傍に、上記クリップが拡開部材を通過したことを検出してドライバ保持部の出口を開くように作動する開閉部材を設けた
ことを特徴とする挟着機におけるワイヤ型クリップの綴じ機構。
【発明の詳細な説明】
【０００１】
【発明の属する技術分野】
本発明は、ワイヤ型クリップで紙等の被挟着材を綴る挟着機において、上記クリップの詰まり時に次の位置のクリップの供給を防止するためのクリップの綴じ機構に関する。
【０００２】
【従来技術とその問題点】
一般に、この種の挟着機は、挟着機本体に設けられたドライバ用通路にマガジン部から供給されたワイヤ型クリップを受け入れる受け入れ部を設け、受け入れ部の先に拡開部材を配置し、上記通路に沿って移動させたドライバプレートによって受け入れ部のクリップを押し出して拡開部材を通過させる際に拡開させた後、被挟着材に挟着させるものである。
【０００３】
ところで、図７に示されるように、ドライバプレート３０を途中まで動かして初期位置まで戻し、その後に再び押出し作動させると、初期位置に戻した時点で上記受け入れ部３１にはマガジン３２に収容されたクリップ３３が送り込まれてくる。したがって、再度ドライバプレート３０を作動させると、初めにドライバプレート３０を途中まで動かしたときに押されたクリップ３４は半端な位置で止まっているので、この状態で次位のクリップ３３が押し出されると、クリップ３３が途中で詰まってしまうことがある。
【０００４】
【発明が解決しようとする課題】
本発明は上記問題点を解消し、クリップの詰まり時に次の位置のクリップの供給を有効に防止することができる挟着機におけるワイヤ型クリップの綴じ機構を提供することをその課題とする。
【０００５】
【課題を解決するための手段】
前記課題を解決するため、本発明に係る挟着機におけるワイヤ型クリップの綴じ機構は、挟着機本体に設けられたドライバ用通路に、ドライバプレートを保持するドライバ保持部と、マガジン部から供給されたワイヤ型クリップを受け入れる受け入れ部と上記クリップを拡開する拡開部とを順次に配置し、上記ドライバ保持部からドライバ通路に沿って移動させたドライバプレートによって受け入れ部のクリップを押し出して拡開部を通過させる際に拡開させた後、被挟着材に挟着させる挟着機において、上記受け入れ部の近傍に、上記クリップが拡開部材を通過したことを検出してドライバ保持部の出口を開くように作動する開閉部材を設けたことを特徴とする。
【０００６】
【発明の実施の形態】
図１は挟着機の斜視図、図２はその縦断面図を示す。上記挟着機は、挟着機本体１に設けられたドライバ用通路２に、ドライバプレート３を保持するドライバ保持部４と、マガジン部５から供給されたワイヤ型クリップａを受け入れる受け入れ部６と、上記クリップａを拡開する拡開部７と、被挟着材ｂの差込み部８とを順次に配置し、上記通路２に沿って移動させたドライバプレート３によって受け入れ部６のクリップａを押し出して拡開部７を通過させる際にクリップａを拡開させた後、被挟着材ｂに挟着させるもので、クリップ受け入れ部６に上記クリップａを供給するマガジン部５を配置してなるものである。
【０００７】
クリップａは図３に示されるように、１本の金属バネ製ワイヤの半分をそれぞれ台形状に折り曲げて裏表に重なるように連続させることにより、各台形状の表部ａ１と裏部ａ２とを連結部ａ３を介して連結したものである。上記表部ａ１と裏部ａ２とは連結部ａ３を中心にして開くように構成されている。なお、表部ａ１と裏部ａ２とはクリップａの２つの部分を便宜的に示したものであるにすぎない。
【０００８】
ドライバ保持部４は断面門形に形成され、内部にはドライバプレート３が摺動可能に保持されている。ドライバプレート３の端部は屈曲して指掛け部９が形成されている。ドライバプレート３の肉厚はクリップａの厚みと略同じに形成され、その先端の摺動範囲は、クリップ受け入れ部６から退避した位置からクリップａの拡開部７の先端位置までであり、ドライバプレート３は先端が上記退避位置にあるようにバネ２４、２５で付勢されている。なお、ドライバプレート３には突片１０が形成され、突片１０に設けられた軸１１はドライバ保持部４の壁に形成された摺動溝２７に沿って摺動可能に係合している。
【０００９】
受け入れ部６はドライバ保持部４の延長上に設けられ、１個のクリップａを受け入れるとともに、ドライバプレート３の摺動を可能にする空間部を備えている。
【００１０】
クリップａの拡開部７はドライバプレート３に押し出された受け入れ部６内のクリップａを拡開する部位で、その両側壁にはくさび形の拡開部材１２が固定されている。拡開部材１２は受け入れ部６側が尖り、その反対側（挟持部側）が幅広になるように配置されている。そして、拡開部７の上下にはクリップａのワイヤの直径よりも大きく、直径の倍よりも小さい程度のスペースが形成されている。
【００１１】
被挟持部材ｂの差込み部８は、被挟着材ｂの厚みを上記拡開部材１２の基部の幅よりも小さくなるように案内するためのもので、固定ガイド壁１３と可動ガイド壁１４との間に形成されている。固定ガイド壁１３は拡開部材１２の基部の幅方向の一端よりも内側に配置され、可動ガイド壁１４は支軸１５を中心に回動可能に設けられ、その壁の基部も拡開部材１２の基部の幅方向の他端よりも内側になるように配置されている。なお、可動ガイド壁１４の基部は挟着機本体１の壁に形成した長孔１６に沿って摺動できるように形成され、固定ガイド壁１３と可動ガイド壁１４との間の開口を大きくすることができるようになっている。
【００１２】
マガジン部５は筒形に形成され、内部には複数のクリップａが収納されている。クリップａはバネ１７により付勢されたプッシャ２６によって上記受け入れ部６に向けて押圧されている。
【００１３】
ところで、上記受け入れ部６の近傍には、図４(a) に詳しく示されているように、ドライバ保持部４の出口１８を閉じるように作動する開閉部材１９が設けられている。この開閉部材１９の中間部に設けられた支軸２０は挟着機本体１に形成された長孔２１に係合され、全体としてシーソー状に揺動するように取り付けられている。そして、開閉部材１９の一端には拡開部材１２に係合する係合片２２が形成され、他端にはドライバ保持部４の出口１８を閉止可能な閉じ片２３が形成されている。また、上記開閉部材１９の閉じ片２３側は引っ張りバネ２４により、係合片２２側は圧縮バネ２５により付勢されている。なお、通常の状態では引っ張りバネ２４と圧縮バネ２５により係合片２２が拡開部材１２に係合し、閉じ片２３が開くように作用し、また拡開部材１２上にクリップａがあるときは、係合片２２はクリップａに係合して浮き上がるために閉じ片２３は上記出口１８を閉止作動するように設定されている。
【００１４】
そこで、上記構成の挟着機の作動態様について説明すると、マガジン内にクリップａを収納し、差込み部８に被挟着材ｂを差し込む。その後、図４(b) に示されるように、ドライバプレート３を摺動させると、プッシャによって受け入れ部６に送り込まれた先頭のクリップａはドライバプレート３により押され、拡開部７の拡開部材１２を通るときにクリップａの表部ａ１と裏部ａ２が拡開される。拡開された状態でさらに押し出されると、クリップａの表部ａ１と裏部ａ２とは被挟着材ｂの表裏面を通り、拡開部材１２を越えると、再びクリップａの表部ａ１と裏部ａ２は閉じて被挟着材ｂを挟着する（図４(c) 参照）。被挟着材ｂを差込み部８から抜き出すと、図５に示されるようにクリップａによって綴られた状態の被挟着材ｂを得ることができる。
【００１５】
次に、ドライバプレート３の移動に応じて開閉部材１９がどのように作動するかについて説明すると、最初に受け入れ部６にクリップａが送り込まれた時点では、閉じ片２３はドライバ保持部４の出口１８を開いているので、図４(a) に示されるようにドライバプレート３は通路２に沿って移動することができる。ドライバプレート３が移動端まで移動すると、上述のように拡開部材１２からクリップａは押し出されて被挟着材ｂに挟着される。
【００１６】
ところが、ドライバプレート３を途中で戻してしまうと、図４(d) に示されるように、クリップａは拡開部材１２に乗り上げたままの状態になっているから、開閉部材１９の係合片２２はクリップａに係合し、クリップａが拡開部材１２を通過したことが検出されない。このため、引っ張りバネ２４の作用よりも圧縮バネ２５の作用の方が大きいので、閉じ片２３はドライバ保持部４の出口１８を閉じてしまう。したがって、ドライバプレート３を移動することはできないから、作業者は異常を知ることができる。この場合、図２のように下動ガイド壁１４を開いて固定ガイド壁１３と可動ガイド壁１４との間の開口を大きくして拡開部７からクリップａを取り出せばよい。あるいは、開閉部材１９を強制的に開くとともに、受け入れ部６のクリップａを受け入れ部６から退避させた後にドライバプレート３で、拡開部７のクリップａを完全に押し出して除去してもよい。これにより、係合片２２が拡開部材１２に係合するので、クリップａが拡開部材１２を通過したことが検出され、閉じ片２３は図４(a) のように開き、綴じ操作を再開することができる。
【００１７】
上述のように、上記クリップの綴じ機構によれば、２個のクリップａを同時に押し出すことができない構造であるから、クリップａの詰まり時に次の位置のクリップの供給を有効に防止することができる。
【００１８】
なお、開閉部材１９の付勢手段の配置は上述のものに限定されない。例えば図６に示されるように、圧縮バネ２５を長孔２１の中に配置する構造であってもよい。
【図面の簡単な説明】
【図１】本発明に係る挟着機の斜視図
【図２】上記挟着機の縦断面図
【図３】クリップの斜視図
【図４】  (a) (b) (c) (d) は上記挟着機による挟着態様説明図
【図５】クリップによる被挟着材の挟着態様を示す斜視図
【図６】開閉部材の付勢手段の他の例の説明図
【図７】従来の挟着機によるクリップの詰まり態様の説明図
【符号の説明】
ａ  クリップ
１  挟着機本体
２  ドライバ用通路
３  ドライバプレート
４  ドライバ保持部
５  マガジン部
６  受け入れ部
７  拡開部
１２  拡開部材
１９  開閉部材
【図１】
0004378875.tif 000002
【図２】
0004378875.tif 000003
【図３】
0004378875.tif 000004
【図４】
0004378875.tif 000005
【図５】
0004378875.tif 000006
【図６】
0004378875.tif 000007
【図７】
0004378875.tif 000008